(57)【要約】【課題】タイリング・パネルのＬＣＤパネルのＴＦＴがラビング・プロセスの間に損傷されるという問題点、そしてタイリング・パネルを形成するのに種々な下側ガラス基板１及び種々な上側ガラス基板２が必要であるという問題点を解決する。【解決手段】左側のＬＣＤパネルと、右側ＬＣＤパネルとを有し、左側ＬＣＤパネルの画素アレイ透明基板４１及び対向透明基板４２の一方の基板は下側の基板であり、そして他方の基板は上側の基板であり、右側ＬＣＤパネルの画素アレイ透明基板及び対向透明基板の一方の基板は上側の基板であり、そして他方の基板は下側の基板であり、そして左側ＬＣＤパネルの一方の基板と右側ＬＣＤパネルの他方の基板とを接着しそして左側ＬＣＤパネルの他方の基板と右側ＬＣＤパネルの一方の基板とを接着するように、左側ＬＣＤパネルの右エッジは右側ＬＣＤパネルの左エッジに接着されていることを特徴とする。【選択図】図７
2010217925.tif 000002
【特許請求の範囲】
【請求項１】
画素アレイとショート・リングと第１の配向層とが形成されている画素アレイ基板と、共通電極と第２の配向層とが形成されている対向基板と、を含むＬＣＤパネル２枚を組み合わせて、タイリング・パネルを形成するＬＣＤ装置であって、
前記ＬＣＤパネルにおいて、
前記画素アレイは、前記画素アレイ基板の右エッジに合わせて、前記画素アレイ基板の一部に設けられ、
前記ショート・リングは、前記画素アレイの上、左及び下の辺に沿って設けられ、
前記第１の配向層は、上から見たラビング方向が左上から右下になるように、前記画素アレイの上に設けられ、
前記対向基板は、前記画素アレイ基板の右エッジに合わせて、前記画素アレイ基板と重なって設けられ、
前記共通電極は、前記画素アレイ基板と対向するように、前記対向基板に設けられ、
前記第２の配向層は、前記対向基板を通して見たラビング方向が左下から右上になるように、前記第１の配向層と対向して前記共通電極に設けられており、
前記ＬＣＤパネルの右エッジと、縦方向の中心線で反転した２枚目の前記ＬＣＤパネルの左エッジとを接続してタイリング・パネルを形成するＬＣＤ装置。
【請求項２】
画素アレイとショート・リングと第１の配向層とが形成されている画素アレイ基板と、共通電極と第２の配向層とが形成されている対向基板と、を含むＬＣＤパネル２枚を組み合わせて、タイリング・パネルを形成するＬＣＤ装置であって、
前記ＬＣＤパネルにおいて、
前記画素アレイは、前記画素アレイ基板の下エッジに合わせて、前記画素アレイ基板の一部に設けられ、
前記ショート・リングは、前記画素アレイの左、上及び右の辺に沿って設けられ、
前記第１の配向層は、上から見たラビング方向が左上から右下になるように、前記画素アレイの上に設けられ、
前記対向基板は、前記画素アレイ基板の下エッジに合わせて、前記画素アレイ基板と重なって設けられ、
前記共通電極は、前記画素アレイ基板と対向するように、前記対向基板に設けられ、
前記第２の配向層は、前記対向基板を通して見たラビング方向が左下から右上になるように、前記第１の配向層と対向して前記共通電極に設けられており、
前記ＬＣＤパネルの下エッジと、横方向の中心線で反転した２枚目の前記ＬＣＤパネルの上エッジとを接続してタイリング・パネルを形成するＬＣＤ装置。
【請求項３】
画素アレイとショート・リングと第１の配向層とが形成されている画素アレイ基板と、共通電極と第２の配向層とが形成されている対向基板と、を含むＬＣＤパネル４枚を組み合わせて、タイリング・パネルを形成するＬＣＤ装置であって、
前記ＬＣＤパネルにおいて、
前記画素アレイは、前記画素アレイ基板の右エッジ及び下エッジに合わせて、前記画素アレイ基板の一部に設けられ、
前記ショート・リングは、前記画素アレイの左及び上の辺に沿って設けられ、
前記第１の配向層は、上から見たラビング方向が左上から右下になるように、前記画素アレイの上に設けられ、
前記対向基板は、前記画素アレイ基板の右エッジ及び下エッジに合わせて、前記画素アレイ基板と重なって設けられ、
前記共通電極は、前記画素アレイ基板と対向するように、前記対向基板に設けられ、
前記第２の配向層は、前記対向基板を通して見たラビング方向が左下から右上になるように、前記第１の配向層と対向して前記共通電極に設けられており、
前記ＬＣＤパネルの右エッジと、縦方向の中心線で反転した２枚目の前記ＬＣＤパネルの左エッジとを接続して、
前記ＬＣＤパネルの下エッジと、横方向の中心線で反転した３枚目の前記ＬＣＤパネルの上エッジとを接続して、
前記ＬＣＤパネルの右下角で平面的に１８０度回転した４枚目の前記ＬＣＤパネルの上エッジと前記２枚目のＬＣＤパネルの下エッジとを接続して、左エッジと前記３枚目のＬＣＤパネルの右エッジとを接続してタイリング・パネルを形成するＬＣＤ装置。
【請求項４】
前記画素アレイ基板及び前記対向基板の間に液晶材料が挟まれ、前記液晶材料は、液晶分子を反時計方向に旋回させるカイラル剤を含む捻れネマチック液晶材料であることを特徴とする請求項１ないし３のいずれか一つに記載のＬＣＤ装置。
【請求項５】
カラー・フィルタが、前記対向基板上に形成されていることを特徴とする請求項１ないし３のいずれか一つに記載のＬＣＤ装置。
【発明の詳細な説明】
【技術分野】
【０００１】
本発明は、液晶表示（ＬＣＤ）装置に関する。更に具体的にいうならば、本発明は、複数個の個別的なＬＣＤパネルが大型サイズの表示スクリーンを形成するように互いに接着されたタイリング・パネルを含むＬＣＤ装置に関する。
【背景技術】
【０００２】
図１に示すように、複数個、例えば４つの個別的なＬＣＤパネルＡ，Ｂ、Ｃ及びＤが接着領域１９に沿って互いに接着されたタイリング・パネルを使用するＬＣＤ装置が開発されてきた。本明細書において、垂直方向の接着領域１９及び水平方向の接着領域１９の交点を中心点（ＣＴ）と呼ぶ。図２は、パネルＡ、Ｂ、ＣおよびＤの画素領域の配列を示す。パネルＡ、Ｂ、ＣおよびＤのそれぞれは、下側ガラス基板１及び上側ガラス基板２を含む。水平方向の隣接する２つの画素領域相互間に配列されたブラック・マトリクスの幅をＬＨとし、そして垂直方向の隣接する２つの画素領域相互間に配列されたブラック・マトリクスの幅をＬＶとする。接着領域１９に亘って自然で且つ連続的はイメージを実現するためには、パネルＡの最も右下の位置の画素領域ＰＭＮとパネルＢの最も左下の位置の画素領域ＰＭ１との間の距離、そしてパネルＤの最も右上の位置の画素領域Ｐ１ＮとパネルＣの最も左上の位置の画素領域Ｐ１１との間の距離は、２Ｌ１＋ＬＢで表される距離でなけらばならない。ここで、Ｌ１＜ＬＨ／２であり、そしてＬＢは接着領域１９の幅である。更に、パネルＡの画素領域ＰＭＮとパネルＤの画素領域Ｐ１Ｎとの間の距離、そしてパネルＢの画素領域ＰＭ１とパネルＣの画素領域Ｐ１１との間の距離は、２L２＋ＬＢで表される距離でなければならない。ここで、Ｌ２＜ＬＶ／２である。後に説明する封止領域８が図２において点線で示されている。
【０００３】
タイリング・パネルに使用される１つのＬＣＤパネル、例えばＬＣＤパネルＡの構造を図３を参照して説明する。図３は、パネルＡの下側ガラス基板１及び上側ガラス基板２上の構造を示す。下側ガラス基板１の上には、複数本のデータ線ＤＬ１乃至ＤＬＮが垂直方向に沿って形成されており、複数本のゲート線ＧＬ１乃至ＧＬＭが水平方向に沿って形成されており、１つの画素（Ｐ）を規定する薄膜トランジスタ（ＴＦＴ）３及び画素電極４を含む１つの画素領域がデータ線及びゲート線の交点のそれぞれに形成されており、導電性材料の外側ショート・リング５及び内側ショート・リング６が形成されており、そしてポリイミドで形成された配向層（図１及び２には示されていない）が形成されている。液晶分子の配列は、ラビング・プロセスで行われる配向層の表面のラビング方向により決定される。上側ガラス基板２の上には、共通電極及び配向層（図１及び２には示されていない）が形成されている。カラーＬＣＤ装置の場合には、カラー・フィルタ、即ち赤のカラーフィルタ、緑のカラー・フィルタ及び青のカラーフィルタが、上側ガラス基板２の上に形成されている。
【０００４】
下側ガラス基板１の完成時には、外側ショート・リング５及び内側ショート・リング６の両方が形成されている。下側ガラス基板１は、切断線９Ａ乃至９Ｄに沿って切断され、その結果外側ショート・リング５と、内側ショート・リング６の右側部分及び下側部分とが除去される。切断プロセスの前には、外側ショート・リング５は、共通電極の電位レベルに対応する電位レベルに接続されている。外側ショート・リング５は、抵抗素子７を介して内側ショート・リング６に接続されている。データ線ＤＬ１乃至ＤＬＮのそれぞれは、抵抗素子７を介して外側ショート・リング５及び内側ショート・リング６に接続され、そしてゲート線ＧＬ１乃至ＧＬＭのそれぞれは、抵抗素子７を介して外側ショートリング５及び内側ショートリング６に接続されている。外側ショート・リング５及び内側ショート・リング６の目的は、ＬＣＤパネルの製造の間次のようにして、画素領域のＴＦＴ３が静電荷放電（ＥＳＤ）によって損傷されることを防止することである。抵抗素子、例えばダイオードとして働くＴＦＴの抵抗値は、画素領域のＴＦＴ３の抵抗値よりも小さく設計されている。下側ガラス基板１の取り扱いの間に例えばゲート線に静電荷が印加されると、ゲート線とショート・リング６との間に接続されている抵抗素子７、そしてショート・リング６とデータ線との間に接続されている抵抗素子７が導通し、これによりゲート線の電位レベルが、データ線の電位レベルに等しくなり、そして画素領域のＴＦＴ３のドレイン電極及びゲート電極の間に電圧が印加されない。下側ガラス基板１の切断そして上側ガラス基板２及び下側ガラス基板１の組立後は、内側ショート・リング６は、上側ガラス基板２の共通電極に接続され、これにより、静電荷がゲート線又はデータ線に印加されるときには、抵抗素子７が導通して、静電荷を内側ショート・リング６に通過させ、この結果、下側ガラス基板１の電位レベルは、上側ガラス基板２の共通電極の電位レベルに等しくなって、画素領域のＴＦＴ３に電圧が印加されない。
【０００５】
この分野で周知のように、下側ガラス基板１及び上側ガラス基板２は、封止領域８に沿って封止されて、パネルＡが完成される。パネルＡの封止領域８について図３を参照して説明すると、切断プロセスの後に距離Ｌ１及び距離L２（図２）をそれぞれ与えるために、封止領域８のうち右側の部分は、最も右側のデータ線ＤＬＮの画素領域に隣接して形成され、そして、封止領域８のうち下側の部分は、最も下側のゲート線ＧＬＭの画素領域に隣接して形成される。これは、図２に示すように、ＬＣＤパネルＡ、Ｂ及びＤの画素領域の位置的関係を与えるために要求される。この理由により、封止領域８の右側部分及び下側部分は、内側ショート・リング６の内側に形成される。封止プロセスの後に、ＬＣＤパネルＡは、４つの切断線９Ａ、９Ｂ、９Ｃ及び９Ｄに沿って切断される。封止領域８の代表的な幅Ｗ１は、約５００乃至１０００ミクロン・メータであり、そして切断線９Ｂ及び９Ｄに沿って残存する封止領域８の幅Ｗ２は約５０乃至１００ミクロン・メータである。従って、ＬＣＤパネルＡは、これの上側及び左側に沿ってショート・リング６を有し、そして右側及び下側にはショートリング６を有しない。図１及び３に示すように、例えばデータ線ドライバのような回路モジュール１２は上側の領域１０（図３）に露出されているデータ線に接続され、そして例えばゲート線ドライバのような回路モジュール１３は左側の領域１１（図３）に露出されているゲート線に接続される。
【０００６】
切断線の位置を変更することにより、ＬＣＤパネルＢ、Ｃ及びＤが、ＬＣＤパネルＡと同様にして形成される。図４は、図１の線１４−１４に沿ったＬＣＤパネルＡ及びＬＣＤパネルＢの一部分の断面を示す。左側の封止領域８は幅Ｗ１を有し、そして右側の封止領域８は幅Ｗ２を有する。それぞれＴＦＴ３及び画素電極を含む画素領域と、データ線と、ゲート線とが下側ガラス基板１の層１５として示されており、そしてそして配向層１７が層１５の上に形成されている。カラー・フィルタは、上側ガラス基板２の層１６として示されており、そして配向層１８が層１６の上に形成されている。左側のショート・リング６が、左側の封止領域８に隣接して示されている。回路モジュール１３が、層１５から延びるゲート線ＧＬに接続されている。封止領域８と２つの配向層１７及び１８とにより囲まれた空間に、捻れネマチック（ＴＮ）液晶材料が充填されている。ＬＣＤパネルＡ及びＬＣＤパネルＢは接着領域１９により接着されている。
【０００７】
４つのＬＣＤパネルＡ，Ｂ、Ｃ及びＤは、１つのＬＣＤスクリーンを構成し、そして４つのＬＣＤパネルのデータ線ドライバ１２と、４つのＬＣＤパネルのゲート線ドライバ１３とは、これら４つのＬＣＤパネル上にイメージを表示するように制御される。
【０００８】
４つのＬＣＤパネルＡ、Ｂ、Ｃ及びＤの全てが、同じ表示特性、即ち良好なコントラスト比を与える広い視野角を有することが要求される。図５は、ＬＣＤ装置の表面に垂直な線２０に関する観察方向Ｌ及びＵを示す。通常ユーザは、下側の方向Ｌに沿ってＬＣＤ装置を見るので、従って、下側の方向Ｌにおいて良好なコントラスト比を与える広い視野角を実現するために、図１に示すような４つのＬＣＤパネルＡ，Ｂ、Ｃ及びＤの配向層のラビング方向が使用される。図１において、点線の複線の矢印は、下側ガラス基板１の配向層１７（図４）のラビング方向を示し、そして実線の単線の矢印は、上側ガラス基板２の配向層１８（図４）のラビング方向を示す。
【０００９】
図１に示されているようなラビング方向を選択する理由を、図５（Ｂ）、（Ｃ）及び（Ｄ）を参照して説明する。配向層の表面が、矢印２２の方向に移動される回転ローラ２１によりラビングされると、液晶分子のそれぞれは、図４（Ｂ）に示すように傾けられる。即ち、ラビング方向の上流側にある液晶分子の一端は配向層に接触し、そしてラビング方向の下流側にある他端は配向層の表面から離れる。液晶分子と配向層の表面との間の角度は、プレチルト角度と呼ばれる。良好なコントラスト比を与える広い視野角を下側の方向Ｌにおいて実現するためには、４つのＬＣＤパネルＡ、Ｂ、Ｃ及びＤの全ての下側ガラス基板１の配向層１７は、矢印２４の方向にラビングされ、そして、４つのＬＣＤパネルの全ての上側ガラス基板２の配向層１８は、矢印２５の方向にラビングされる。矢印２４及び２５のラビングの方向は、図４の矢印３２の方向で上側ガラス基板２を介して観察した方向であることに注目されたい。上述のラビング方向に基づいて、図５（Ｄ）に示すように、液晶分子２６の一端２８は上側配向層１８に接触し、そして液晶分子２７の一端２９は下側配向層１７に接触する。このようなラビング方向が使用される場合には、液晶分子を反時計方向に旋回させるカイラル剤が使用される。従って、下側ガラス基板１の画素電極と上側ガラス基板２の共通電極との間に電圧が印加されると、図５（Ｄ）に示す液晶分子２６及び２７は反時計方向に旋回しようとする。このことは、ユーザは矢印２３の方向（液晶分子２６の軸方向）で液晶分子２６を見ることを意味する。ユーザが矢印２３の方向で光を見る時には、良好なコントラスト比を与える広い視野角が得られる。
【発明の概要】
【発明が解決しようとする課題】
【００１０】
上述の理由のために、４つのＬＣＤパネルＡ、Ｂ、Ｃ及びＤの全ての下側ガラス基板１の配向層１７において同じラビング方向、即ち左上の方向から右下に向かう方向が使用される。しかしながら、このラビング方向の配列は次のような問題点を生じる。
【００１１】
図１のタイリング・パネルを形成するには、２種類の下側ガラス基板１及び上側ガラス基板２上の種々なラビング方向が要求されることである。この問題点を図６を参照して説明する。図６は、下側ガラス基板１の内側表面の配向層１７を図４の矢印３０の方向で見た時のこの配向層１７のラビング方向と、上側ガラス基板２の内側表面の配向層１８を図４の矢印３１の方向で見た時のこの配向層１８のラビング方向を示す。種々な下側ガラス基板１が要求されることの理解を助けるために、図６においては、４つの全てのパネルの下側ガラス基板は、中心点ＣＴを含む長いエッジが下側になるように示されている。上述のようにＣＴは、タイリング・パネルの中心点を表し、そして下側ガラス基板１及び上側ガラス基板２の位置的関係の理解を助けるための基準点として示されている。各パネルを組み立てるには、下側ガラス基板１のＣＴを上側ガラス基板のＣＴに一致させるように基板１及び基板２が互いに対面される。例えばパネルＡにおいて、基板１のＣＴと基板２のＣＴとが一致するようにこれらの基板１及び２が互いに対面されると、図１に示すパネルＡのラビング方向（これらは、図４の方向３２で観察した方向である）が得られる。ラビングを無視した場合の下側ガラス基板１の構造に注目すると、パネルＡとパネルＣの下側ガラス基板１は同じであり、そしてパネルＢ及びＤの下側ガラス基板１は同じである。しかしながら、パネルＡ及びＣのラビング方向は互いに逆であり、そしてパネルＢ及びＤのラビング方向は互いに逆である。上側ガラス基板２に関しては、パネルＡ及びＣのラビング方向は互いに逆であり、そしてパネルＢ及びＤのラビング方向は互いに逆である。このように、図１のタイリング・パネルを形成するには、種々な下側ガラス基板１及び種々な上側ガラス基板２が必要である。
【課題を解決するための手段】
【００１２】
本発明に従うＬＣＤ装置は、画素アレイ及びショート・リングが形成されている画素アレイ基板と、共通電極が形成されている対向基板とを含む左側の液晶表示（ＬＣＤ）パネルと、画素アレイ及びショート・リングが形成されている画素アレイ基板と、共通電極が形成されている対向基板とを含む右側ＬＣＤパネルとを有し、左側ＬＣＤパネルの画素アレイ基板及び対向基板の一方の基板は下側の基板であり、そして他方の基板は上側の基板であり、右側ＬＣＤパネルの画素アレイ基板及び対向基板の一方の基板は上側の基板であり、そして他方の基板は下側の基板であり、そして左側ＬＣＤパネルの一方の基板と右側ＬＣＤパネルの他方の基板とを接着しそして左側ＬＣＤパネルの他方の基板と右側ＬＣＤパネルの一方の基板とを接着するように、左側ＬＣＤパネルの右エッジは右側ＬＣＤパネルの左エッジに接着されていることを特徴とする。
【００１３】
左側ＬＣＤパネルの画素アレイ基板のショート・リングは、左エッジと、上エッジ及び下エッジの少なくとも１つに沿って延びており、右側ＬＣＤパネルの画素アレイ基板のショート・リングは、右エッジと、上エッジ及び下エッジの少なくとも１つに沿って延びており、左側ＬＣＤパネル及び右側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、左側ＬＣＤパネルのうち、上エッジ及び下エッジの少なくとも１つに隣接する領域のデータ線に接続されており、そしてゲート線ドライバが、左側ＬＣＤパネルのうち、左エッジに隣接する領域のゲート線に接続されており、そしてデータ線ドライバが、右側ＬＣＤパネルのうち、上エッジ及び下エッジの少なくとも１つに隣接する領域のデータ線に接続されており、そしてゲート線ドライバが、右側ＬＣＤパネルのうち、右エッジに隣接する領域のゲート線に接続されていることを特徴とする。
【００１４】
本発明に従うＬＣＤ装置は、画素アレイ及びショート・リングが形成されている画素アレイ基板と、共通電極が形成されている対向基板とを含む上側ＬＣＤパネルと、画素アレイ及びショート・リングが形成されている画素アレイ基板と、共通電極が形成されている対向基板とを含む下側ＬＣＤパネルとを有し、上側ＬＣＤパネルの画素アレイ基板及び対向基板の一方の基板は下側の基板であり、そして他方の基板は上側の基板であり、下側ＬＣＤパネルの画素アレイ基板及び対向基板の一方の基板は上側の基板であり、そして他方の基板は下側の基板であり、そして上側ＬＣＤパネルの一方の基板と下側ＬＣＤパネルの他方の基板とを接着しそして上側ＬＣＤパネルの他方の基板と下側ＬＣＤパネルの一方の基板とを接着するように、上側ＬＣＤパネルの下エッジは下側ＬＣＤパネルの上エッジに接着されていることを特徴とする。
【００１５】
上側ＬＣＤパネルの画素アレイ基板のショート・リングは、上エッジと、左エッジ及び右エッジの少なくとも１つに沿って延びており、下側ＬＣＤパネルの画素アレイ基板のショート・リングは、下エッジと、右エッジ及び左エッジの少なくとも１つに沿って延びており、上側ＬＣＤパネル及び下側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、上側ＬＣＤパネルのうち、上エッジに隣接する領域のデータ線に接続されており、そしてゲート線ドライバが、上側ＬＣＤパネルのうち、左エッジ及び右エッジの少なくとも一方に隣接する領域のゲート線に接続されており、そしてデータ線ドライバが、下側ＬＣＤパネルのうち、下エッジに隣接する領域のデータ線に接続されており、そしてゲート線ドライバが、下側ＬＣＤパネルのうち、左エッジ及び右エッジの少なくとも一方に隣接する領域のゲート線に接続されていることを特徴とする。
【００１６】
本発明に従うＬＣＤ装置は、画素アレイ、並びに上エッジ及び左エッジに沿って延びるショート・リングが形成されている画素アレイ基板と、共通電極が形成されている対向基板とを含む左上側ＬＣＤパネルと、画素アレイ、並びに上エッジ及び右エッジに沿って延びるショート・リングが形成されている画素アレイ基板と、共通電極が形成されている対向基板とを含む右上側ＬＣＤパネルと、画素アレイ、並びに右エッジ及び下エッジに沿って延びるショート・リングが形成されている画素アレイ基板と、共通電極が形成されている対向基板とを含む右下側の液晶表示（ＬＣＤ）パネルと、画素アレイ、並びに左エッジ及び下エッジに沿って延びるショート・リングが形成されている画素アレイ基板と、共通電極が形成されている対向基板とを含む左下側ＬＣＤパネルとを有し、左上側ＬＣＤパネルの画素アレイ基板及び対向基板の一方の基板は下側の基板であり、そして他方の基板は上側の基板であり、右上側ＬＣＤパネルの画素アレイ基板及び対向基板の一方の基板は上側の基板であり、そして他方の基板は下側の基板であり、右下側ＬＣＤパネルの画素アレイ基板及び対向基板の一方の基板は下側の基板であり、そして他方の基板は上側の基板であり、左下側ＬＣＤパネルの画素アレイ基板及び対向基板の一方の基板は上側の基板であり、そして他方の基板は下側の基板であり、左上側ＬＣＤパネルの一方の基板と右上側ＬＣＤパネルの他方の基板とを接着しそして左上側ＬＣＤパネルの他方の基板と右上側ＬＣＤパネルの一方の基板とを接着するように、左上側ＬＣＤパネルの右エッジは右上側ＬＣＤパネルの左エッジに接着されており、右上側ＬＣＤパネルの一方の基板と右下側ＬＣＤパネルの他方の基板とを接着しそして右上側ＬＣＤパネルの他方の基板と右下側ＬＣＤパネルの一方の基板とを接着するように、右上側ＬＣＤパネルの下エッジは右下側ＬＣＤパネルの上エッジに接着されており、右下側ＬＣＤパネルの一方の基板と左下側ＬＣＤパネルの他方の基板とを接着しそして右下側ＬＣＤパネルの他方の基板と左下側ＬＣＤパネルの一方の基板とを接着するように、右下側ＬＣＤパネルの左エッジは左下側ＬＣＤパネルの右エッジに接着されており、そして左下側ＬＣＤパネルの一方の基板と左上側ＬＣＤパネルの他方の基板とを接着しそして左下側ＬＣＤパネルの他方の基板と左上側ＬＣＤパネルの一方の基板とを接着するように、左下側ＬＣＤパネルの上エッジは左上側ＬＣＤパネルの下エッジに接着されていることを特徴とする。
【００１７】
左上側ＬＣＤパネル、右上側ＬＣＤパネル、右下側ＬＣＤパネル及び及び左下側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、左上側ＬＣＤパネルのうち、上エッジに隣接する領域のデータ線に接続されており、そしてゲート線ドライバが、左上側ＬＣＤパネルのうち、左エッジに隣接する領域のゲート線に接続されており、データ線ドライバが、右上側ＬＣＤパネルのうち、上エッジに隣接する領域のデータ線に接続されており、そしてゲート線ドライバが、右上側ＬＣＤパネルのうち、右エッジに隣接する領域のゲート線に接続されており、データ線ドライバが、右下側ＬＣＤパネルのうち、下エッジに隣接する領域のデータ線に接続されており、そしてゲート線ドライバが、右下側ＬＣＤパネルのうち、右エッジに隣接する領域のゲート線に接続されており、そしてデータ線ドライバが、左下側ＬＣＤパネルのうち、下エッジに隣接する領域のデータ線に接続されており、そしてゲート線ドライバが、左下側ＬＣＤパネルのうち、左エッジに隣接する領域のゲート線に接続されていることを特徴とする。
【００１８】
本発明に従うＬＣＤ装置は、画素アレイ、ショート・リング及び配向層とが形成されている画素アレイ基板と、共通電極及び配向層が形成されている対向基板とを含む左側ＬＣＤパネルと、画素アレイ、ショート・リング及び配向層が形成されている画素アレイ基板と、共通電極及び配向層が形成されている対向基板とを含む右側ＬＣＤパネルとを有し、左側ＬＣＤパネルの画素アレイ基板及び対向基板の一方の基板は下側の基板であり、そして他方の基板は上側の基板であり、右側ＬＣＤパネルの画素アレイ基板及び対向基板の一方の基板は上側の基板であり、そして他方の基板は下側の基板であり、左側ＬＣＤパネルの一方の基板と右側ＬＣＤパネルの他方の基板とを接着しそして左側ＬＣＤパネルの他方の基板と右側ＬＣＤパネルの一方の基板とを接着するように、左側ＬＣＤパネルの右エッジは右側ＬＣＤパネルの左エッジに接着されており、左側のＬＣＤパネルの画素アレイ基板の配向層は、左上領域から右下領域に向かう方向にラビングされており、そして左側のＬＣＤパネルの対向基板の配向層は、左下領域から右上領域に向かう方向にラビングされており、そして右側のＬＣＤパネルの画素アレイ基板の配向層は、右上領域から左下領域に向かう方向にラビングされており、そして右側のＬＣＤパネルの対向基板の配向層は、右下領域から左上領域に向かう方向にラビングされていることを特徴とする。
【００１９】
本発明に従うＬＣＤ装置は、画素アレイ、ショート・リング及び配向層とが形成されている画素アレイ基板と、共通電極及び配向層が形成されている対向基板とを含む左側ＬＣＤパネルと、画素アレイ、ショート・リング及び配向層が形成されている画素アレイ基板と、共通電極及び配向層が形成されている対向基板とを含む右側ＬＣＤパネルとを有し、左側ＬＣＤパネルの画素アレイ基板及び対向基板の一方の基板は下側の基板であり、そして他方の基板は上側の基板であり、右側ＬＣＤパネルの画素アレイ基板及び対向基板の一方の基板は上側の基板であり、そして他方の基板は下側の基板であり、左側ＬＣＤパネルの一方の基板と右側ＬＣＤパネルの他方の基板とを接着しそして左側ＬＣＤパネルの他方の基板と右側ＬＣＤパネルの一方の基板とを接着するように、左側ＬＣＤパネルの右エッジは右側ＬＣＤパネルの左エッジに接着されており、左側のＬＣＤパネルの画素アレイ基板の配向層は、右下領域から左上領域に向かう方向にラビングされており、そして左側のＬＣＤパネルの対向基板の配向層は、右上領域から左下領域に向かう方向にラビングされており、そして右側のＬＣＤパネルの画素アレイ基板の配向層は、右上領域から左下領域に向かう方向にラビングされており、そして右側のＬＣＤパネルの対向基板の配向層は、右下領域から左上領域に向かう方向にラビングされていることを特徴とする。
【００２０】
左側ＬＣＤパネル及び右側ＬＣＤパネルの液晶材料は、液晶分子を反時計方向に旋回させるカイラル剤を含む捻れネマチック液晶材料であることを特徴とする。
【００２１】
カラー・フィルタが、左側ＬＣＤパネル及び右側ＬＣＤパネルの対向基板上に形成されていることを特徴とする。
【００２２】
左側ＬＣＤパネル及び右側ＬＣＤパネルの下側の基板に光を照射するように光源が装着されており、そして左側ＬＣＤパネル及び右側ＬＣＤパネルの上側の基板の上に拡散板が装着されていることを特徴とする。
【００２３】
左側ＬＣＤパネルの画素アレイ基板のショート・リングは、左エッジと、上エッジ及び下エッジの少なくとも１つに沿って延びており、右側ＬＣＤパネルの画素アレイ基板のショート・リングは、右エッジと、上エッジ及び下エッジの少なくとも１つに沿って延びており、左側ＬＣＤパネル及び右側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、左側ＬＣＤパネルのうち、上エッジ及び下エッジの少なくとも１つに隣接する領域のデータ線に接続されており、そしてゲート線ドライバが、左側ＬＣＤパネルのうち、左エッジに隣接する領域のゲート線に接続されており、そしてデータ線ドライバが、右側ＬＣＤパネルのうち、上エッジ及び下エッジの少なくとも１つに隣接する領域のデータ線に接続されており、そしてゲート線ドライバが、右側ＬＣＤパネルのうち、右エッジに隣接する領域のゲート線に接続されていることを特徴とする。
【００２４】
本発明に従うＬＣＤ装置は、画素アレイ、ショート・リング及び配向層が形成されている画素アレイ基板と、共通電極及び配向層が形成されている対向基板とを含む上側ＬＣＤパネルと、画素アレイ、ショート・リング及び配向層が形成されている画素アレイ基板と、共通電極及び配向層が形成されている対向基板とを含む下側ＬＣＤパネルとを有し、上側ＬＣＤパネルの画素アレイ基板及び対向基板の一方の基板は下側の基板であり、そして他方の基板は上側の基板であり、下側ＬＣＤパネルの画素アレイ基板及び対向基板の一方の基板は上側の基板であり、そして他方の基板は下側の基板であり、上側ＬＣＤパネルの一方の基板と下側ＬＣＤパネルの他方の基板とを接着しそして上側ＬＣＤパネルの他方の基板と下側ＬＣＤパネルの一方の基板とを接着するように、上側ＬＣＤパネルの下エッジは下側ＬＣＤパネルの上エッジに接着されており、上側のＬＣＤパネルの画素アレイ基板の配向層は、左上領域から右下領域に向かう方向にラビングされており、そして上側のＬＣＤパネルの対向基板の配向層は、左下領域から右上領域に向かう方向にラビングされており、そして下側のＬＣＤパネルの画素アレイ基板の配向層は、左下領域から右上領域に向かう方向にラビングされており、そして下側のＬＣＤパネルの対向基板の配向層は、左上領域から右下領域に向かう方向にラビングされていることを特徴とする。
【００２５】
本発明に従うＬＣＤ装置は、画素アレイ、ショート・リング及び配向層が形成されている画素アレイ基板と、共通電極及び配向層が形成されている対向基板とを含む上側ＬＣＤパネルと、画素アレイ、ショート・リング及び配向層が形成されている画素アレイ基板と、共通電極及び配向層が形成されている対向基板とを含む下側ＬＣＤパネルとを有し、上側ＬＣＤパネルの画素アレイ基板及び対向基板の一方の基板は下側の基板であり、そして他方の基板は上側の基板であり、下側ＬＣＤパネルの画素アレイ基板及び対向基板の一方の基板は上側の基板であり、そして他方の基板は下側の基板であり、上側ＬＣＤパネルの一方の基板と下側ＬＣＤパネルの他方の基板とを接着しそして上側ＬＣＤパネルの他方の基板と下側ＬＣＤパネルの一方の基板とを接着するように、上側ＬＣＤパネルの下エッジは下側ＬＣＤパネルの上エッジに接着されており、上側のＬＣＤパネルの画素アレイ基板の配向層は、右下領域から左上領域に向かう方向にラビングされており、そして上側のＬＣＤパネルの対向基板の配向層は、右上領域から左下領域に向かう方向にラビングされており、そして下側のＬＣＤパネルの画素アレイ基板の配向層は、右上領域から左下領域に向かう方向にラビングされており、そして下側のＬＣＤパネルの対向基板の配向層は、右下領域から左上領域に向かう方向にラビングされていることを特徴とする。
【００２６】
上側ＬＣＤパネル及び下側ＬＣＤパネルの液晶材料は、液晶分子を反時計方向に旋回させるカイラル剤を含む捻れネマチック液晶材料であることを特徴とする。
【００２７】
カラー・フィルタが、上側ＬＣＤパネル及び下側ＬＣＤパネルの対向基板上に形成されていることを特徴とする。
【００２８】
上側ＬＣＤパネルの画素アレイ基板のショート・リングは、上エッジと、左エッジ及び右エッジの少なくとも１つに沿って延びており、下側ＬＣＤパネルの画素アレイ基板のショート・リングは、下エッジと、右エッジ及び左エッジの少なくとも１つに沿って延びており、上側ＬＣＤパネル及び下側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、上側ＬＣＤパネルのうち、上エッジに隣接する領域のデータ線に接続されており、そしてゲート線ドライバが、上側ＬＣＤパネルのうち、左エッジ及び右エッジの少なくとも一方に隣接する領域のゲート線に接続されており、そしてデータ線ドライバが、下側ＬＣＤパネルのうち、下エッジに隣接する領域のデータ線に接続されており、そしてゲート線ドライバが、下側ＬＣＤパネルのうち、左エッジ及び右エッジの少なくとも一方に隣接する領域のゲート線に接続されていることを特徴とする。
【００２９】
本発明に従うＬＣＤ装置は、画素アレイ並びに上エッジ及び左エッジに沿って延びるショート・リング並びに配向層が形成されている画素アレイ基板と、共通電極及び配向層が形成されている対向基板とを含む左上側ＬＣＤパネルと、画素アレイ並びに上エッジ及び右エッジに沿って延びるショート・リング並びに配向層が形成されている画素アレイ基板と、共通電極及び配向層が形成されている対向基板とを含む右上側ＬＣＤパネルと、画素アレイ並びに右エッジ及び下エッジに沿って延びるショート・リング並びに配向層が形成されている画素アレイ基板と、共通電極及び配向層が形成されている対向基板とを含む右下側のＬＣＤパネルと、画素アレイ並びに左エッジ及び下エッジに沿って延びるショート・リング並びに配向層が形成されている画素アレイ基板と、共通電極及び配向層が形成されている対向基板とを含む左下側ＬＣＤパネルとを有し、左上側ＬＣＤパネルの画素アレイ基板及び対向基板の一方の基板は下側の基板であり、そして他方の基板は上側の基板であり、右上側ＬＣＤパネルの画素アレイ基板及び対向基板の一方の基板は上側の基板であり、そして他方の基板は下側の基板であり、右下側ＬＣＤパネルの画素アレイ基板及び対向基板の一方の基板は下側の基板であり、そして他方の基板は上側の基板であり、左下側ＬＣＤパネルの画素アレイ基板及び対向基板の一方の基板は上側の基板であり、そして他方の基板は下側の基板であり、左上側ＬＣＤパネルの一方の基板と右上側ＬＣＤパネルの他方の基板とを接着しそして左上側ＬＣＤパネルの他方の基板と右上側ＬＣＤパネルの一方の基板とを接着するように、左上側ＬＣＤパネルの右エッジは右上側ＬＣＤパネルの左エッジに接着されており、右上側ＬＣＤパネルの一方の基板と右下側ＬＣＤパネルの他方の基板とを接着しそして右上側ＬＣＤパネルの他方の基板と右下側ＬＣＤパネルの一方の基板とを接着するように、右上側ＬＣＤパネルの下エッジは右下側ＬＣＤパネルの上エッジに接着されており、右下側ＬＣＤパネルの一方の基板と左下側ＬＣＤパネルの他方の基板とを接着しそして右下側ＬＣＤパネルの他方の基板と左下側ＬＣＤパネルの一方の基板とを接着するように、右下側ＬＣＤパネルの左エッジは左下側ＬＣＤパネルの右エッジに接着されており、左下側ＬＣＤパネルの一方の基板と左上側ＬＣＤパネルの他方の基板とを接着しそして左下側ＬＣＤパネルの他方の基板と左上側ＬＣＤパネルの一方の基板とを接着するように、左下側ＬＣＤパネルの上エッジは左上側ＬＣＤパネルの下エッジに接着されており、左上側のＬＣＤパネルの画素アレイ基板の配向層は、左上領域から右下領域に向かう方向にラビングされており、そして左上側のＬＣＤパネルの対向基板の配向層は、左下領域から右上領域に向かう方向にラビングされており、右上側のＬＣＤパネルの画素アレイ基板の配向層は、右上領域から左下領域に向かう方向にラビングされており、そして右上側のＬＣＤパネルの対向基板の配向層は、右下領域から左上領域に向かう方向にラビングされており、右下側のＬＣＤパネルの画素アレイ基板の配向層は、右下領域から左上領域に向かう方向にラビングされており、そして右下側のＬＣＤパネルの対向基板の配向層は、右上領域から左下領域に向かう方向にラビングされており、そして左下側のＬＣＤパネルの画素アレイ基板の配向層は、左下領域から右上領域に向かう方向にラビングされており、そして左下側のＬＣＤパネルの対向基板の配向層は、左上領域から右下領域に向かう方向にラビングされていることを特徴とする。
【００３０】
本発明に従うＬＣＤ装置は、画素アレイ並びに上エッジ及び左エッジに沿って延びるショート・リング並びに配向層が形成されている画素アレイ基板と、共通電極及び配向層が形成されている対向基板とを含む左上側ＬＣＤパネルと、画素アレイ並びに上エッジ及び右エッジに沿って延びるショート・リング並びに配向層が形成されている画素アレイ基板と、共通電極及び配向層が形成されている対向基板とを含む右上側ＬＣＤパネルと、画素アレイ並びに右エッジ及び下エッジに沿って延びるショート・リング並びに配向層が形成されている画素アレイ基板と、共通電極及び配向層が形成されている対向基板とを含む右下側のＬＣＤパネルと、画素アレイ並びに左エッジ及び下エッジに沿って延びるショート・リング並びに配向層が形成されている画素アレイ基板と、共通電極及び配向層が形成されている対向基板とを含む左下側ＬＣＤパネルとを有し、左上側ＬＣＤパネルの画素アレイ基板及び対向基板の一方の基板は下側の基板であり、そして他方の基板は上側の基板であり、右上側ＬＣＤパネルの画素アレイ基板及び対向基板の一方の基板は上側の基板であり、そして他方の基板は下側の基板であり、右下側ＬＣＤパネルの画素アレイ基板及び対向基板の一方の基板は下側の基板であり、そして他方の基板は上側の基板であり、左下側ＬＣＤパネルの画素アレイ基板及び対向基板の一方の基板は上側の基板であり、そして他方の基板は下側の基板であり、左上側ＬＣＤパネルの一方の基板と右上側ＬＣＤパネルの他方の基板とを接着しそして左上側ＬＣＤパネルの他方の基板と右上側ＬＣＤパネルの一方の基板とを接着するように、左上側ＬＣＤパネルの右エッジは右上側ＬＣＤパネルの左エッジに接着されており、右上側ＬＣＤパネルの一方の基板と右下側ＬＣＤパネルの他方の基板とを接着しそして右上側ＬＣＤパネルの他方の基板と右下側ＬＣＤパネルの一方の基板とを接着するように、右上側ＬＣＤパネルの下エッジは右下側ＬＣＤパネルの上エッジに接着されており、右下側ＬＣＤパネルの一方の基板と左下側ＬＣＤパネルの他方の基板とを接着しそして右下側ＬＣＤパネルの他方の基板と左下側ＬＣＤパネルの一方の基板とを接着するように、右下側ＬＣＤパネルの左エッジは左下側ＬＣＤパネルの右エッジに接着されており、左下側ＬＣＤパネルの一方の基板と左上側ＬＣＤパネルの他方の基板とを接着しそして左下側ＬＣＤパネルの他方の基板と左上側ＬＣＤパネルの一方の基板とを接着するように、左下側ＬＣＤパネルの上エッジは左上側ＬＣＤパネルの下エッジに接着されており、左上側のＬＣＤパネルの画素アレイ基板の配向層は、右下領域から左上領域に向かう方向にラビングされており、そして左上側のＬＣＤパネルの対向基板の配向層は、右上領域から左下領域に向かう方向にラビングされており、右上側のＬＣＤパネルの画素アレイ基板の配向層は、左下領域から右上領域に向かう方向にラビングされており、そして右上側のＬＣＤパネルの対向基板の配向層は、左上領域から右下領域に向かう方向にラビングされており、右下側のＬＣＤパネルの画素アレイ基板の配向層は、左上領域から右下領域に向かう方向にラビングされており、そして右下側のＬＣＤパネルの対向基板の配向層は、左下領域から右上領域に向かう方向にラビングされており、そして左下側のＬＣＤパネルの画素アレイ基板の配向層は、右上領域から左下領域に向かう方向にラビングされており、そして左下側のＬＣＤパネルの対向基板の配向層は、右下領域から左上領域に向かう方向にラビングされていることを特徴とする。
【００３１】
左上側ＬＣＤパネル、右上側ＬＣＤパネル、右下側ＬＣＤパネル及び左下側ＬＣＤパネルの液晶材料は、液晶分子を反時計方向に旋回させるカイラル剤を含む捻れネマチック液晶材料であることを特徴とする。
【００３２】
カラー・フィルタが、左上側ＬＣＤパネル、右上側ＬＣＤパネル、右下側ＬＣＤパネル及び左下側ＬＣＤパネルの対向基板上に形成されていることを特徴とする。
【００３３】
左上側ＬＣＤパネル、右上側ＬＣＤパネル、右下側ＬＣＤパネル及び左下側ＬＣＤパネルの下側の基板に光を照射するように光源が装着されており、そして左上側ＬＣＤパネル、右上側ＬＣＤパネル、右下側ＬＣＤパネル及び左下側ＬＣＤパネルの上側の基板の上に拡散板が装着されていることを特徴とする。
【００３４】
左上側ＬＣＤパネル、右上側ＬＣＤパネル、右下側ＬＣＤパネル及び左下側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、左上側ＬＣＤパネルのうち、上エッジに隣接する領域のデータ線に接続されており、そしてゲート線ドライバが、左上側ＬＣＤパネルのうち、左エッジに隣接する領域のゲート線に接続されており、データ線ドライバが、右上側ＬＣＤパネルのうち、上エッジに隣接する領域のデータ線に接続されており、そしてゲート線ドライバが、右上側ＬＣＤパネルのうち、右エッジに隣接する領域のゲート線に接続されており、データ線ドライバが、右下側ＬＣＤパネルのうち、下エッジに隣接する領域のデータ線に接続されており、そしてゲート線ドライバが、右下側ＬＣＤパネルのうち、右エッジに隣接する領域のゲート線に接続されており、そしてデータ線ドライバが、左下側ＬＣＤパネルのうち、下エッジに隣接する領域のデータ線に接続されており、そしてゲート線ドライバが、左下側ＬＣＤパネルのうち、左エッジに隣接する領域のゲート線に接続されていることを特徴とする。
【００３５】
本発明に従うＬＣＤ装置は、画素アレイ、ショート・リング及び配向層とが形成されている画素アレイ基板と、共通電極及び配向層が形成されている対向基板とを含む左側ＬＣＤパネルと、画素アレイ、ショート・リング及び配向層が形成されている画素アレイ基板と、共通電極及び配向層が形成されている対向基板とを含む右側ＬＣＤパネルとを有し、左側ＬＣＤパネルの画素アレイ基板及び対向基板の一方の基板は下側の基板であり、そして他方の基板は上側の基板であり、右側ＬＣＤパネルの画素アレイ基板及び対向基板の一方の基板は上側の基板であり、そして他方の基板は下側の基板であり、左側ＬＣＤパネルの一方の基板と右側ＬＣＤパネルの他方の基板とを接着しそして左側ＬＣＤパネルの他方の基板と右側ＬＣＤパネルの一方の基板とを接着するように、左側ＬＣＤパネルの右エッジは右側ＬＣＤパネルの左エッジに接着されており、左側のＬＣＤパネルの画素アレイ基板の配向層は、左上領域から右下領域に向かう方向にラビングされており、そして左側のＬＣＤパネルの対向基板の配向層は、左下領域から右上領域に向かう方向にラビングされており、そして右側のＬＣＤパネルの画素アレイ基板の配向層は、右下領域から左上領域に向かう方向にラビングされており、そして右側のＬＣＤパネルの対向基板の配向層は、右上領域から左下領域に向かう方向にラビングされていることを特徴とする。
【００３６】
本発明に従うＬＣＤ装置は、画素アレイ、ショート・リング及び配向層とが形成されている画素アレイ基板と、共通電極及び配向層が形成されている対向基板とを含む左側ＬＣＤパネルと、画素アレイ、ショート・リング及び配向層が形成されている画素アレイ基板と、共通電極及び配向層が形成されている対向基板とを含む右側ＬＣＤパネルとを有し、左側ＬＣＤパネルの画素アレイ基板及び対向基板の一方の基板は下側の基板であり、そして他方の基板は上側の基板であり、右側ＬＣＤパネルの画素アレイ基板及び対向基板の一方の基板は上側の基板であり、そして他方の基板は下側の基板であり、左側ＬＣＤパネルの一方の基板と右側ＬＣＤパネルの他方の基板とを接着しそして左側ＬＣＤパネルの他方の基板と右側ＬＣＤパネルの一方の基板とを接着するように、左側ＬＣＤパネルの右エッジは右側ＬＣＤパネルの左エッジに接着されており、左側のＬＣＤパネルの画素アレイ基板の配向層は、右下領域から左上領域に向かう方向にラビングされており、そして左側のＬＣＤパネルの対向基板の配向層は、右上領域から左下領域に向かう方向にラビングされており、そして右側のＬＣＤパネルの画素アレイ基板の配向層は、左上領域から右下領域に向かう方向にラビングされており、そして右側のＬＣＤパネルの対向基板の配向層は、左下領域から右上領域に向かう方向にラビングされていることを特徴とする。
【００３７】
左側ＬＣＤパネルの液晶材料は、液晶分子を反時計方向に旋回させるカイラル剤を含む捻れネマチック液晶材料であり、そして右側ＬＣＤパネルの液晶材料は、液晶分子を時計方向に旋回させるカイラル剤を含む捻れネマチック液晶材料であることを特徴とする。
【００３８】
カラー・フィルタが、左側ＬＣＤパネル及び右側ＬＣＤパネルの対向基板上に形成されていることを特徴とする。
【００３９】
左側ＬＣＤパネルの画素アレイ基板のショート・リングは、左エッジと、上エッジ及び下エッジの少なくとも１つに沿って延びており、右側ＬＣＤパネルの画素アレイ基板のショート・リングは、右エッジと、上エッジ及び下エッジの少なくとも１つに沿って延びており、左側ＬＣＤパネル及び右側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、左側ＬＣＤパネルのうち、上エッジ及び下エッジの少なくとも１つに隣接する領域のデータ線に接続されており、そしてゲート線ドライバが、左側ＬＣＤパネルのうち、左エッジに隣接する領域のゲート線に接続されており、そしてデータ線ドライバが、右側ＬＣＤパネルのうち、上エッジ及び下エッジの少なくとも１つに隣接する領域のデータ線に接続されており、そしてゲート線ドライバが、右側ＬＣＤパネルのうち、右エッジに隣接する領域のゲート線に接続されていることを特徴とする。
【００４０】
本発明に従うＬＣＤ装置は、画素アレイ並びに上エッジ及び左エッジに沿って延びるショート・リング並びに配向層が形成されている画素アレイ基板と、共通電極及び配向層が形成されている対向基板とを含む左上側ＬＣＤパネルと、画素アレイ並びに上エッジ及び右エッジに沿って延びるショート・リング並びに配向層が形成されている画素アレイ基板と、共通電極及び配向層が形成されている対向基板とを含む右上側ＬＣＤパネルと、画素アレイ並びに右エッジ及び下エッジに沿って延びるショート・リング並びに配向層が形成されている画素アレイ基板と、共通電極及び配向層が形成されている対向基板とを含む右下側のＬＣＤパネルと、画素アレイ並びに左エッジ及び下エッジに沿って延びるショート・リング並びに配向層が形成されている画素アレイ基板と、共通電極及び配向層が形成されている対向基板とを含む左下側ＬＣＤパネルとを有し、左上側ＬＣＤパネルの画素アレイ基板及び対向基板の一方の基板は下側の基板であり、そして他方の基板は上側の基板であり、右上側ＬＣＤパネルの画素アレイ基板及び対向基板の一方の基板は上側の基板であり、そして他方の基板は下側の基板であり、右下側ＬＣＤパネルの画素アレイ基板及び対向基板の一方の基板は下側の基板であり、そして他方の基板は上側の基板であり、左下側ＬＣＤパネルの画素アレイ基板及び対向基板の一方の基板は上側の基板であり、そして他方の基板は下側の基板であり、左上側ＬＣＤパネルの一方の基板と右上側ＬＣＤパネルの他方の基板とを接着しそして左上側ＬＣＤパネルの他方の基板と右上側ＬＣＤパネルの一方の基板とを接着するように、左上側ＬＣＤパネルの右エッジは右上側ＬＣＤパネルの左エッジに接着されており、右上側ＬＣＤパネルの一方の基板と右下側ＬＣＤパネルの他方の基板とを接着しそして右上側ＬＣＤパネルの他方の基板と右下側ＬＣＤパネルの一方の基板とを接着するように、右上側ＬＣＤパネルの下エッジは右下側ＬＣＤパネルの上エッジに接着されており、右下側ＬＣＤパネルの一方の基板と左下側ＬＣＤパネルの他方の基板とを接着しそして右下側ＬＣＤパネルの他方の基板と左下側ＬＣＤパネルの一方の基板とを接着するように、右下側ＬＣＤパネルの左エッジは左下側ＬＣＤパネルの右エッジに接着されており、左下側ＬＣＤパネルの一方の基板と左上側ＬＣＤパネルの他方の基板とを接着しそして左下側ＬＣＤパネルの他方の基板と左上側ＬＣＤパネルの一方の基板とを接着するように、左下側ＬＣＤパネルの上エッジは左上側ＬＣＤパネルの下エッジに接着されており、左上側のＬＣＤパネルの画素アレイ基板の配向層は、左上領域から右下領域に向かう方向にラビングされており、そして左上側のＬＣＤパネルの対向基板の配向層は、左下領域から右上領域に向かう方向にラビングされており、右上側のＬＣＤパネルの画素アレイ基板の配向層は、右下領域から左上領域に向かう方向にラビングされており、そして右上側のＬＣＤパネルの対向基板の配向層は、右上領域から左下領域に向かう方向にラビングされており、右下側のＬＣＤパネルの画素アレイ基板の配向層は、右上領域から左下領域に向かう方向にラビングされており、そして右下側のＬＣＤパネルの対向基板の配向層は、右下領域から左上領域に向かう方向にラビングされており、そして左下側のＬＣＤパネルの画素アレイ基板の配向層は、左下領域から右上領域に向かう方向にラビングされており、そして左下側のＬＣＤパネルの対向基板の配向層は、左上領域から右下領域に向かう方向にラビングされていることを特徴とする。
【００４１】
本発明に従うＬＣＤ装置は、画素アレイ並びに上エッジ及び左エッジに沿って延びるショート・リング並びに配向層が形成されている画素アレイ基板と、共通電極及び配向層が形成されている対向基板とを含む左上側ＬＣＤパネルと、画素アレイ並びに上エッジ及び右エッジに沿って延びるショート・リング並びに配向層が形成されている画素アレイ基板と、共通電極及び配向層が形成されている対向基板とを含む右上側ＬＣＤパネルと、画素アレイ並びに右エッジ及び下エッジに沿って延びるショート・リング並びに配向層が形成されている画素アレイ基板と、共通電極及び配向層が形成されている対向基板とを含む右下側のＬＣＤパネルと、画素アレイ並びに左エッジ及び下エッジに沿って延びるショート・リング並びに配向層が形成されている画素アレイ基板と、共通電極及び配向層が形成されている対向基板とを含む左下側ＬＣＤパネルとを有し、左上側ＬＣＤパネルの画素アレイ基板及び対向基板の一方の基板は下側の基板であり、そして他方の基板は上側の基板であり、右上側ＬＣＤパネルの画素アレイ基板及び対向基板の一方の基板は上側の基板であり、そして他方の基板は下側の基板であり、右下側ＬＣＤパネルの画素アレイ基板及び対向基板の一方の基板は下側の基板であり、そして他方の基板は上側の基板であり、左下側ＬＣＤパネルの画素アレイ基板及び対向基板の一方の基板は上側の基板であり、そして他方の基板は下側の基板であり、左上側ＬＣＤパネルの一方の基板と右上側ＬＣＤパネルの他方の基板とを接着しそして左上側ＬＣＤパネルの他方の基板と右上側ＬＣＤパネルの一方の基板とを接着するように、左上側ＬＣＤパネルの右エッジは右上側ＬＣＤパネルの左エッジに接着されており、右上側ＬＣＤパネルの一方の基板と右下側ＬＣＤパネルの他方の基板とを接着しそして右上側ＬＣＤパネルの他方の基板と右下側ＬＣＤパネルの一方の基板とを接着するように、右上側ＬＣＤパネルの下エッジは右下側ＬＣＤパネルの上エッジに接着されており、右下側ＬＣＤパネルの一方の基板と左下側ＬＣＤパネルの他方の基板とを接着しそして右下側ＬＣＤパネルの他方の基板と左下側ＬＣＤパネルの一方の基板とを接着するように、右下側ＬＣＤパネルの左エッジは左下側ＬＣＤパネルの右エッジに接着されており、左下側ＬＣＤパネルの一方の基板と左上側ＬＣＤパネルの他方の基板とを接着しそして左下側ＬＣＤパネルの他方の基板と左上側ＬＣＤパネルの一方の基板とを接着するように、左下側ＬＣＤパネルの上エッジは左上側ＬＣＤパネルの下エッジに接着されており、左上側のＬＣＤパネルの画素アレイ基板の配向層は、右下領域から左上領域に向かう方向にラビングされており、そして左上側のＬＣＤパネルの対向基板の配向層は、右上領域から左下領域に向かう方向にラビングされており、右上側のＬＣＤパネルの画素アレイ基板の配向層は、左上領域から右下領域に向かう方向にラビングされており、そして右上側のＬＣＤパネルの対向基板の配向層は、左下領域から右上領域に向かう方向にラビングされており、右下側のＬＣＤパネルの画素アレイ基板の配向層は、左下領域から右上領域に向かう方向にラビングされており、そして右下側のＬＣＤパネルの対向基板の配向層は、左上領域から右下領域に向かう方向にラビングされており、そして左下側のＬＣＤパネルの画素アレイ基板の配向層は、右上領域から左下領域に向かう方向にラビングされており、そして左下側のＬＣＤパネルの対向基板の配向層は、右下領域から左上領域に向かう方向にラビングされていることを特徴とする。
【００４２】
左上側ＬＣＤパネル及び左下側ＬＣＤパネルの液晶材料は、液晶分子を反時計方向に旋回させるカイラル剤を含む捻れネマチック液晶材料であり、そして右上側ＬＣＤパネル及び右下側ＬＣＤパネルの液晶材料は、液晶分子を時計方向に旋回させるカイラル剤を含む捻れネマチック液晶材料であることを特徴とする。
【００４３】
カラー・フィルタが、左上側ＬＣＤパネル、右上側ＬＣＤパネル、右下側ＬＣＤパネル及び左下側ＬＣＤパネルの対向基板上に形成されていることを特徴とする。
【００４４】
左上側ＬＣＤパネル、右上側ＬＣＤパネル、右下側ＬＣＤパネル及び左下側ＬＣＤパネルの画素アレイのそれぞれは、上エッジ若しくは下エッジに平行に延びるゲート線と、左エッジ若しくは右エッジに平行に延びるデータ線と、ゲート線及びデータ線の交点のそれぞれに形成された画素領域とを有し、データ線ドライバが、左上側ＬＣＤパネルのうち、上エッジに隣接する領域のデータ線に接続されており、そしてゲート線ドライバが、左上側ＬＣＤパネルのうち、左エッジに隣接する領域のゲート線に接続されており、データ線ドライバが、右上側ＬＣＤパネルのうち、上エッジに隣接する領域のデータ線に接続されており、そしてゲート線ドライバが、右上側ＬＣＤパネルのうち、右エッジに隣接する領域のゲート線に接続されており、データ線ドライバが、右下側ＬＣＤパネルのうち、下エッジに隣接する領域のデータ線に接続されており、そしてゲート線ドライバが、右下側ＬＣＤパネルのうち、右エッジに隣接する領域のゲート線に接続されており、そしてデータ線ドライバが、左下側ＬＣＤパネルのうち、下エッジに隣接する領域のデータ線に接続されており、そしてゲート線ドライバが、左下側ＬＣＤパネルのうち、左エッジに隣接する領域のゲート線に接続されていることを特徴とする。
【発明の効果】
【００４５】
本発明は、タイリング・パネルを形成するのに種々な下側ガラス基板１及び種々な上側ガラス基板２が必要であるという従来のＬＣＤ装置における問題点を解決する。
【図面の簡単な説明】
【００４６】
【図１】タイリング・パネルを示す図である。
【図２】ＬＣＤパネルＡ、Ｂ、ＣおよびＤの画素領域の配列を示す図である。
【図３】パネルＡの下側ガラス基板１及び上側ガラス基板２上の構造を示す図である。
【図４】図１の線１４−１４に沿ったＬＣＤパネルＡ及びＬＣＤパネルＢの一部分の断面を示す図である。
【図５】上側配向層及び下側配向層のラビング方向と視野角とを示す図である。
【図６】下側ガラス基板１の内側表面の配向層１７を図４の矢印３０の方向で見たときのこの配向層１７のラビング方向と、上側ガラス基板２の内側表面の配向層１８を図４の矢印３１の方向で見たときのこの配向層１８のラビング方向を示す図である。
【図７】本発明に従うタイリング・パネル４０によって構成されるカラーＬＣＤ装置の第１実施例を示す図である。
【図８】図７の線４７−４７に沿ったタイリング・パネル４０の断面を示す図である。
【図９】液晶分子の配列を示す図である。
【図１０】第１実施例のタイリング・パネルを使用する本発明のＬＣＤ装置を示す図である。
【図１１】画素アレイ・ガラス基板４１の内面上の配向層５０を図８の矢印６４の方向から観察した時の配向層５０のラビング方向と、対向ガラス基板４２の内面上の配向層５１を図８の矢印６５の方向から観察した時の配向層５１のラビング方向を示す図である。
【図１２】本発明に従うタイリング・パネル４０によって構成されるカラーＬＣＤ装置の第２実施例を示す図である。
【図１３】電圧が画素電極Ｐ及び共通電極の間に印加されていないときに、下側方向Ｌから観察したＬＣＤパネルＢ及びＣにおける液晶分子５５及び５６の配列を示す図である。
【図１４】画素アレイ・ガラス基板４１の内面上の配向層５０を図８の矢印６４の方向から観察した時の配向層５０のラビング方向と、対向ガラス基板４２の内面上の配向層５１を図８の矢印６５の方向から観察した時の配向層５１のラビング方向を示す図である。
【図１５】本発明に従うタイリング・パネル４０によって構成されるカラーＬＣＤ装置の第３実施例を示す図である。
【図１６】本発明に従うタイリング・パネル４０によって構成されるカラーＬＣＤ装置の第４実施例を示す図である。
【図１７】本発明に従うタイリング・パネル４０によって構成されるカラーＬＣＤ装置の第５実施例を示す図である。
【発明を実施するための形態】
【００４７】
本発明の第１実施例：図７は、本発明に従うタイリング・パネル４０によって構成されるカラーＬＣＤ装置の第１実施例を示す。タイリング・パネル４０は複数個の個別的なＬＣＤパネルを含む。第１実施例においては、４つのＬＣＤパネル、即ち左上のＬＣＤパネルＡ、右上のＬＣＤパネルＢ、右下のＬＣＤパネルＣ、及び左下のＬＣＤパネルＤが使用される。図１に示した従来のタイリング・パネルの場合のように、４つのＬＣＤパネルは接着領域５２に沿って互いに接着される。垂直な接着領域５２及び水平な接着領域５２の交点（ＣＴ）はタイリング・パネル４０の中心点である。
【００４８】
図８は、図７の線４７−４７に沿ったタイリング・パネル４０の断面を示す。ユーザは、図５（Ａ）の下側の方向Ｌに対応する矢印５４の方向でこのＬＣＤ装置を見る。ＬＣＤパネルＡ，Ｂ、Ｃ及びＤのそれぞれは、透明基板即ちガラス基板４１及び透明基板即ちガラス基板４２を含む。４つのＬＣＤパネルのそれぞれは、図３を参照して説明したプロセスにより製造され、そしてガラス基板４１及び４２の上の構造は図２及び３を参照して説明した構造とほぼ同じである。即ち、ガラス基板４１の上には、（ａ）垂直方向に延びる図３に示した複数本のデータ線ＤＬ１乃至ＤＬＮと、水平方向に延びる図３に示した複数本のゲート線ＧＬ１乃至ＧＬＭと、データ線及びゲート線の交点のそれぞれに形成された複数個の画素領域とを含む画素アレイ４８と、（ｂ）画素領域のＴＦＴがＥＳＤにより損傷されるのを防止するための導電性材料の内側ショート・リング４３と、（ｃ）ラビング層と呼ばれる配向層５０と、そして（ｄ）データ線及びゲート線にそれぞれ接続される回路モジュール４５及び４６が形成されている。従って、以後ガラス基板４１を画素アレイ・ガラス基板を呼ぶ。図３を参照して説明したように、１つの画素領域は、画素電極Ｐに接続されたソース電極、データ線に接続されたドレイン電極及びゲート線に接続されたゲート電極を有する薄膜トランジスタ（ＴＦＴ）３と画素電極Ｐとを含む。
【００４９】
ガラス基板４２の上には、カラー・フィルタ４９、即ち赤（Ｒ）のカラー・フィルタ、緑（Ｇ）のカラー・フィルタ及び青（Ｂ）のカラー・フィルタと、共通電極５３と、配向層５１とが形成されている。以後、ガラス基板４２を対向ガラス基板と呼ぶ。各ＬＣＤパネルの構造については後述する。
【００５０】
ＬＣＤパネルのそれぞれは、接着領域５２に亘って自然で且つ連続的なイメージを表示するために、図２に示した位置的関係を満足するため、図３を参照して説明したように切断されている。更に具体的にいうと、図２に示したように、パネルＡの最も右下の位置の画素領域ＰＭＮとパネルＢの最も左下の位置の画素領域ＰＭ１との間の距離、そしてパネルＤの最も右上の位置の画素領域Ｐ１ＮとパネルＣの最も左上の位置の画素領域Ｐ１１との間の距離は、２Ｌ１＋ＬＢで表される距離でなけらばならない。ここで、Ｌ１＜ＬＨ／２であり、そしてＬＢは接着領域１９の幅である。更に、パネルＡの画素領域ＰＭＮとパネルＤの画素領域Ｐ１Ｎとの間の距離、そしてパネルＢの画素領域ＰＭ１とパネルＣの画素領域Ｐ１１との間の距離は、２L２＋ＬＢで表される距離でなければならない。ここで、Ｌ２＜ＬＶ／２である。
【００５１】
画素アレイ・ガラス基板４１及び対向ガラス基板４２は、ＬＣＤパネルを完成させるために封止領域４４に沿って封止される。図２に示すような、隣接するＬＣＤパネル上の画素領域の位置的関係を満足するように、封止領域４４の最初の幅Ｗ１（５００乃至１０００ミクロン・メータ）は、接着領域５２において、狭い幅Ｗ２（５０乃至１００ミクロン・メータ）に減少されている。
【００５２】
次に、図７及び８に示されている各ＬＣＤパネルのショート・リング４３の構造、基板４１及び４２の位置的関係、配向層５０及び５１のラビング方向並びにカラー・フィルタ４９について詳述する。
【００５３】
左上側のｌＣＤパネルＡにおいて、ショート・リング４３は上エッジ及び左エッジに沿って延びる。右上側のｌＣＤパネルＢにおいて、ショート・リング４３は上エッジ及び右エッジに沿って延びる。右下側のｌＣＤパネルＣにおいて、ショート・リング４３は右エッジ及び下エッジに沿って延びる。左下側のｌＣＤパネルＤにおいて、ショート・リング４３は左エッジ及び下エッジに沿って延びる。
【００５４】
ＬＣＤパネルＡにおいて、画素アレイ・ガラス基板４１は下側基板であり、そして対向ガラス基板４２は上側基板である。ＬＣＤパネルＢにおいて、画素アレイ・ガラス基板４１は上側基板であり、そして対向ガラス基板４２は下側基板である。ＬＣＤパネルＣにおいて、画素アレイ・ガラス基板４１は下側基板であり、そして対向ガラス基板４２は上側基板である。ＬＣＤパネルＤにおいて、画素アレイ・ガラス基板４１は上側基板であり、そして対向ガラス基板４２は下側基板である。
【００５５】
左上側のＬＣＤパネルＡの基板４２と右上側のＬＣＤパネルＢの基板４１とを接着するようにそして、ＬＣＤパネルＡの基板４１とＬＣＤパネルＢの基板４２とを接着するように、ＬＣＤパネルＡの右エッジは、ＬＣＤパネルＢの左エッジに接着される。右上側のＬＣＤパネルＢの基板４２と右下側のＬＣＤパネルＣの基板４１とを接着するようにそして、ＬＣＤパネルＢの基板４１とＬＣＤパネルＣの基板４２とを接着するように、ＬＣＤパネルＢの下エッジは、ＬＣＤパネルＣの上エッジに接着される。右下側のＬＣＤパネルＣの基板４２と左下側のＬＣＤパネルＤの基板４１とを接着するようにそして、ＬＣＤパネルＣの基板４１とＬＣＤパネルＤの基板４２とを接着するように、ＬＣＤパネルＣの左エッジは、ＬＣＤパネルＤの右エッジに接着される。左下側のＬＣＤパネルＤの基板４２と左上側のＬＣＤパネルＡの基板４１とを接着するようにそして、ＬＣＤパネルＤの基板４１とＬＣＤパネルＡの基板４２とを接着するように、ＬＣＤパネルＤの上エッジは、ＬＣＤパネルＡの下エッジに接着される。
【００５６】
次に、配向層５０及び５１（図８）のラビング方向について説明する。ラビング・プロセスは図５（Ｂ）に示したように回転ローラ２１により行われる。図７に示した配向層５０及び５１のラビング方向は、図８の矢印５４の方向から観察した方向であることに注目されたい。複線の矢印は、画素アレイ・ガラス基板４１上の配向層５０（図８）のラビング方向であり、そして単線の矢印は、対向ガラス基板４２上の配向層５１（図８）のラビング方向を示す。更に、点線で示されている矢印は、下側ガラス基板の配向層のラビング方向を示し、そして実線で示されている矢印は上側ガラス基板の配向層のラビング方向を示す。
【００５７】
左上側のＬＣＤパネルＡにおいては、画素アレイ透明基板４１上の配向層５０は左上領域から右下領域に向かう方向にラビングされ、そして対向透明基板４２上の配向層５１は左下領域から右上領域に向かう方向にラビングされている。
【００５８】
右上側のＬＣＤパネルＢにおいては、画素アレイ透明基板４１上の配向層５０は右上領域から左下領域に向かう方向にラビングされ、そして対向透明基板４２上の配向層５１は右下領域から左上領域に向かう方向にラビングされている。
【００５９】
右下側のＬＣＤパネルＣにおいては、画素アレイ透明基板４１上の配向層５０は右下領域から左上領域に向かう方向にラビングされ、そして対向透明基板４２上の配向層５１は右上領域から左下領域に向かう方向にラビングされている。
【００６０】
左下側のＬＣＤパネルＤにおいては、画素アレイ透明基板４１上の配向層５０は左下領域から右上領域に向かう方向にラビングされ、そして対向透明基板４２上の配向層５１は左上領域から右下領域に向かう方向にラビングされている。
【００６１】
４つのＬＣＤパネルＡ、Ｂ、Ｃ及びＤにおける液晶材料は、液晶分子を反時計方向（左回り）に旋回させるカイラル剤又はカイラル・ドーパントを含む９０度捻れ型のネマチック液晶材料である。この分野で周知の９０度捻れネマチック液晶材料及びカイラル剤が本発明において使用されることができる。液晶分子を反時計方向に旋回させるカイラル剤の１つの例は、ＢＤＨ社のＣ−１５である。液晶分子を時計方向に旋回させるカイラル剤の１つの例は、ＢＤＨ社のＣＢ−１５である。これらのカイラル剤が本発明において使用されることができる。このような液晶材料及びカイラル剤はこの分野で周知であるので、これらについての詳細な説明は行わない。
【００６２】
カラーフィルタについて説明すると、図７に示すように、カラー・フィルタは縦ストライプ配列にされており、即ち、複数個の赤のフィルタが垂直方向に整列され、複数個の緑のフィルタが垂直方向に整列され、そして複数個の青のフィルタが垂直方向に整列されている。図７に示すように、水平方向においては、カラー・フィルタは、Ｒ、Ｇ、Ｂ、Ｒ、Ｇ、Ｂ、・・・Ｒ、Ｇ、Ｂの順序で配列されている。
【００６３】
回路モジュール４５及び４６について説明すると、例えば、データ線ドライバのような回路モジュール４５は、例えば異方性導電フィルム（ＡＣＦ）のような接着フィルムによりデータ線に接続され、そして、例えば、ゲート線ドライバのような回路モジュール４６は、ＡＣＦのような接着フィルムによりゲート線に接続される。この構造の代わりに、回路モジュール４５が装着されている可撓性回路ボード又はＴＡＢ（Ｔａｐｅ Ａｕｔｏｍａｔｅｄ Ｂｏｎｄｉｎｇ）テープが、ＡＣＦによりデータ線に接続されることができ、そして、回路モジュール４６が装着されている可撓性回路ボード又はＴＡＢ（Ｔａｐｅ Ａｕｔｏｍａｔｅｄ Ｂｏｎｄｉｎｇ）テープが、ＡＣＦによりゲート線に接続されることができる。ＬＣＤパネルＡ及びＣにおいては、回路モジュール４５及び４６又は可撓性回路ボードは、画素アレイ・ガラス基板４１の上側表面に装着される。ＬＣＤパネルＢ及びＤにおいては、回路モジュール４５及び４６又は可撓性回路ボードは、画素アレイ・ガラス基板４１の下側表面即ち裏側表面に装着される。
【００６４】
次に、図７のＬＣＤ装置に関して、良好なコントラスト比を与える広い視角を生じる観察方向について説明する。図５（Ａ）を参照して説明したように、ユーザは、通常下側の方向Ｌに沿ってＬＣＤ装置を観察する。図９（Ａ）及び（Ｂ）は、電圧が基板４１の画素電極Ｐ及び基板４２の共通電極の間に印加されないときに、下側の方向Ｌから観察した液晶分子５５及び５６の配列を示す。
【００６５】
ＬＣＤパネルＡ及びＤにおいては、上側ガラス基板（ＬＣＤパネルＡの基板４２及びＬＣＤパネルＤの基板４１）の配向層は、左下領域から右上領域に向かう方向にラビングされており、そして下側ガラス基板（ＬＣＤパネルＡの基板４１及びＬＣＤパネルＤの基板４２）の配向層は、左上領域から右下領域に向かう方向にラビングされている。かくして、図５を参照して説明した理由により、液晶分子５５の一端５５Ａは、図９（Ａ）に示すように、上側基板の配向層に接触し、そして他端５５Ｂは、この配向層の表面から離れ、そして液晶分子５６の一端５６Ｂは、下側基板の配向層に接触し、そして他端５６Ａは、この配向層の表面から離れる。電圧が画素電極及び共通電極の間に印加されると、液晶分子５５及び５６は、反時計方向に旋回し、これにより、方向Ｌに沿ってＬＣＤ装置を観察しているユーザは、液晶分子５５をこれの軸方向５８で観察し、この結果良好なコントラスト比を与える広い視野角が、下側の方向Ｌにおいて得られる。
【００６６】
ＬＣＤパネルＢ及びＣにおいては、上側ガラス基板（ＬＣＤパネルＢの基板４１及びＬＣＤパネルＣの基板４２）の配向層は、右上領域から左下領域に向かう方向にラビングされており、そして下側ガラス基板（ＬＣＤパネルＢの基板４２及びＬＣＤパネルＣの基板４１）の配向層は、右下領域から左上領域に向かう方向にラビングされている。かくして、図５を参照して説明した理由により、液晶分子５５の一端５５Ｂは、図９（Ｂ）に示すように、上側基板の配向層に接触し、そして他端５５Ａは、この配向層の表面から離れ、そして液晶分子５６の一端５６Ａは、下側基板の配向層に接触し、そして他端５６Ｂは、この配向層の表面から離れる。電圧が画素電極及び共通電極の間に印加されると、液晶分子５５及び５６は、反時計方向に旋回し、これにより、方向Ｌに沿ってＬＣＤ装置を観察しているユーザは、液晶分子５５をこれの軸方向５８にほぼ垂直な方向で観察し、この結果良好なコントラスト比を与える広い視野角は、下側の方向Ｌにおいて得られない。ＬＣＤパネルＢ及びＤにおいては、良好なコントラスト比を与える広い視野角は、上側の方向Ｕにおいて得られる。即ち、左側のＬＣＤパネルＡ及びＤにおいては、良好なコントラスト比を与える広い視野角は、下側の方向Ｌにおいて得られ、一方、右側のＬＣＤパネルＢ及びＣにおいては、良好なコントラスト比を与える広い視野角は、上側の方向Ｕにおいて得られる。しかしながら、このことは、上側偏光板とユーザとの間に拡散板を配置することによって補償されることができる。
【００６７】
図１０（Ａ）は、第１実施例のタイリング・パネルを使用する本発明のＬＣＤ装置を示す。４つのＬＣＤパネルＡ，Ｂ、Ｃ及びＤの下側基板に光を当てるように光源６１が装着されている。偏光板５９及び６０が、タイリング・パネル４０の上側及び下側に配置されている。偏光板５９及び６０の動作はこの分野で周知であるので、詳細な説明は行わない。拡散板６２が、４つのＬＣＤパネルＡ，Ｂ、Ｃ及びＤの上側基板上に装着されている。拡散板６２は、光源６１からの入射光６３を図１０（Ｂ）に示すように拡散する。拡散板６２を装着することにより、方向Ｌにおけるコントラスト比は左側のＬＣＤパネルＡ及びＤにおいて幾らか減少されるが、方向Ｌにおける視野角は右側のＬＣＤパネルＢ及びＣにおいて改善され、これによりほぼ同じコントラスト比を与える同じ程度の視野角が、４つのＬＣＤパネルＡ，Ｂ、Ｃ及びＤの全てにおいて得られる。
【００６８】
次に第１実施例の顕著な作用効果について説明する。
【００６９】
図１１は、画素アレイ・ガラス基板４１の内面上の配向層５０を図８の矢印６４の方向から観察した時の配向層５０のラビング方向と、対向ガラス基板４２の内面上の配向層５１を図８の矢印６５の方向から観察した時の配向層５１のラビング方向を示す。前述のように、ＬＣＤパネルＡ，Ｂ、Ｃ及びＤの配向層５０の全てが、水平方向のショート・リング４３及び垂直方向のショート・リング４３の両方が存在する角から、中心点ＣＴに向かう方向にラビングされているので、一種類の画素アレイ・ガラス基板４１だけが必要である。
【００７０】
カラーＬＣＤ装置の場合には、次の理由により２種類のラビング方向が必要である。図７に示すように、自然な感じのカラー・イメージを表示するために、４つのＬＣＤパネルＡ，Ｂ、Ｃ及びＤのそれぞれの最も左側のカラーフィルタは、赤（Ｒ）のカラー・フィルタであり、そして４つのＬＣＤパネルＡ，Ｂ、Ｃ及びＤのそれぞれの最も右側のカラーフィルタは、青（Ｂ）のカラー・フィルタである。ＬＣＤパネルＡ及びＤにおいては、カラー・フィルタ４９の上側に形成されている配向層５１は、赤のカラー・フィルタの側から、青のカラー・フィルタの側に向かってラビングされている。このラビング方向は図１１（Ｂ）に示されている。ＬＣＤパネルＢ及びＣにおいては、カラー・フィルタ４９の上側に形成されている配向層５１は、青のカラー・フィルタの側から、赤のカラー・フィルタの側に向かってラビングされている。このラビング方向は図１１（Ｃ）に示されている。カラー・フィルタを有しない白／黒型のＬＣＤ装置の場合には、図１１（Ｂ）に示す１種類のラビング方向が、４つのＬＣＤパネルＡ，Ｂ、Ｃ及びＤの配向層５１の全てに対して要求される。このようにして、本発明は、図６を参照して説明した従来のＬＣＤ装置における問題点を解決する。
【００７１】
もしも本発明のタイリング・パネルのＬＣＤ装置が、１階の壁に掛けられ、そして２階にいるユーザがＬＣＤ装置を見る場合には、良好なコントラスト比を与える広い視野角が、図５（Ａ）に示した上側の方向Ｕにおいて得られることが望ましい。この場合には、ＬＣＤパネルＡ及びＤの配向層５０及び５１のラビング方向は次のように変更され、そして図７に示したラビング方向のＬＣＤパネルＢ及びＣが使用される。更に拡散板６２は使用されない。
【００７２】
左上側のＬＣＤパネルＡにおいては、画素アレイ透明基板４１上の配向層５０は右下領域から左上領域に向かう方向にラビングされ、そして対向透明基板４２上の配向層５１は右上領域から左下領域に向かう方向にラビングされている。
【００７３】
左下側のＬＣＤパネルＤにおいては、画素アレイ透明基板４１上の配向層５０は右上領域から左下領域に向かう方向にラビングされ、そして対向透明基板４２上の配向層５１は右下領域から左上領域に向かう方向にラビングされている。
【００７４】
本発明の第２実施例：図１２は、本発明に従うタイリング・パネル４０によって構成されるカラーＬＣＤ装置の第２実施例を示す。第２実施例は、第１実施例の拡散板６２を使用しないで、４つのＬＣＤパネルＡ、Ｂ、ＣおよびＤの全てにおいて、図５（Ａ）に示す方向Ｌにおいて、良好なコントラスト比を与える広い視野角を実現する。第２実施例のタイリング・パネル４０の構造は、右上側のＬＣＤパネルＢ及び右下側のＬＣＤパネルＣの配向層のラビング方向、そして、右上側のＬＣＤパネルＢ及び右下側のＬＣＤパネルＣに使用されている９０度捻れネマチック液晶材料の旋回方向を除いて、第１実施例のタイリング・パネル４０の構造とほぼ同じである。従って、第１実施例と同じ構造については簡単に説明し、そして第１実施例と異なる第２実施例の構造について詳細に説明する。第１実施例と同じ参照番号が第２実施例で使用されている。図１２の線４７−４７に沿った第２実施例のタイリング・パネル４０の断面は、図８に示した第１実施例のものと同じである。
【００７５】
図１２に示したＬＣＤパネルＡ及びＤの配向層５０及び５１のラビング方向、そして良好なコントラスト比を与える広い視野角を生じる観察方向について簡単に説明する。左上側のＬＣＤパネルＡ及び左下側のＬＣＤパネルＤの配向層５０及び５１のラビング方向は、図７に示したＬＣＤパネルＡ及びＤのラビング方向と同じである。
【００７６】
即ち、ＬＣＤパネルＡにおいては、画素アレイ透明基板４１の配向層５０は、左上領域から右下領域に向かう方向にラビングされ、そして対向透明基板４２の配向層５１は左下領域から右上領域に向かう方向にラビングされている。
【００７７】
左下側のＬＣＤパネルＤにおいては、画素アレイ透明基板４１の配向層５０は、左下領域から右上領域に向かう方向にラビングされ、そして対向透明基板４２の配向層５１は左上領域から右下領域に向かう方向にラビングされている。
【００７８】
２つのＬＣＤパネルＡ及びＤに使用される液晶材料は、液晶分子を反時計方向（左回り）５６に旋回させるカイラル剤又はカイラル・ドーパントを含む９０度捻れネマチック液晶材料である。
【００７９】
ＬＣＤパネルＡ及びＤにおける良好なコントラスト比を与える広い視野角を生じる観察方向は、図９（Ａ）を参照して述べたように方向Ｌである。
【００８０】
図１２に示したＬＣＤパネルＢ及びＣの配向層５０及び５１のラビング方向、そして良好なコントラスト比を与える広い視野角を生じる観察方向について説明する。右上側のＬＣＤパネルＢ及び右下側のＬＣＤパネルＣの配向層５０及び５１のラビング方向は、図７に示したＬＣＤパネルＢ及びＣのラビング方向と異なっている。
【００８１】
即ち、図１２に示したＬＣＤパネルＢにおいては、画素アレイ透明基板４１の配向層５０は、右下領域から左上領域に向かう方向にラビングされ、そして対向透明基板４２の配向層５１は右上領域から左下領域に向かう方向にラビングされている。
【００８２】
ＬＣＤパネルＣにおいては、画素アレイ透明基板４１の配向層５０は、右上領域から左下領域に向かう方向にラビングされ、そして対向透明基板４２の配向層５１は右下領域から左上領域に向かう方向にラビングされている。
【００８３】
ＬＣＤパネルＢ及びＣに上述のラビング方向を使用すると、液晶分子を時計方向（右回り）６６に旋回させるカイラル剤又はカイラル・ドーパントを含む液晶材料を使用することができ、これにより良好なコントラスト比を与える広い視野角が、次の理由により、方向Ｌにおいて得られる。
【００８４】
図１３は、電圧が画素電極Ｐ及び共通電極の間に印加されていないときに、下側方向Ｌから観察したＬＣＤパネルＢ及びＣにおける液晶分子５５及び５６の配列を示す。
【００８５】
図１２に示すＬＣＤパネルＢ及びＣにおいては、上側ガラス基板（ＬＣＤパネルＢの基板４１及びＬＣＤパネルＣの基板４２）の配向層は、右下領域から左上領域に向かう方向にラビングされ、そして下側ガラス基板（ＬＣＤパネルＢの基板４２及びＬＣＤパネルＣの基板４１）の配向層は、右上領域から左下領域に向かう方向にラビングされている。かくして、図５を参照して説明した理由により、液晶分子５５の一端５５Ａは、図１３に示すように、上側基板の配向層に接触し、そして他端５５Ｂはこの配向層の表面から離れ、そして液晶分子５６の一端５６Ｂは下側基板の配向層に接触し、そして他端５６Ａはこの配向層の表面から離れる。画素電極Ｐ及び共通電極の間に電圧が印加されると、液晶分子５５及び５６は時計方向６６に旋回し、従って、方向ＬでＬＣＤ装置を観察しているユーザは、液晶分子５５をこれの軸方向５８で観察し、従って、良好なコントラスト比を与える広い視野角が方向Ｌにおいて得られる。
【００８６】
回路モジュール４５及び４６そして赤、緑及び青のカラー・フィルタの配列は、図７に示した第１実施例と同じである。
【００８７】
第２実施例の顕著な作用効果について説明する。
【００８８】
図１４は、画素アレイ・ガラス基板４１の内面上の配向層５０を図８の矢印６４の方向から観察した時の配向層５０のラビング方向と、対向ガラス基板４２の内面上の配向層５１を図８の矢印６５の方向から観察した時の配向層５１のラビング方向を示す。前述のように、ＬＣＤパネルＡ，Ｂ、Ｃ及びＤの配向層５０の全てが、水平方向のショート・リング４３及び垂直方向のショート・リング４３の両方又は片方が存在する角から、中心点ＣＴ又は対向する角６７に向かう方向にラビングされているので、１種類の画素アレイ・ガラス基板４１だけが必要であり、そして２種類のラビング方向が必要である。
【００８９】
カラーＬＣＤ装置の場合には、次の理由により２種類のラビング方向が必要である。即ち、図１２に示すように、自然なカラー・イメージを表示するために、４つのＬＣＤパネルＡ，Ｂ、Ｃ及びＤのそれぞれの最も左側のカラーフィルタは、赤（Ｒ）のカラー・フィルタであり、そして４つのＬＣＤパネルＡ，Ｂ、Ｃ及びＤのそれぞれの最も右側のカラーフィルタは、青（Ｂ）のカラー・フィルタである。ＬＣＤパネルＡ及びＤにおいては、カラー・フィルタ４９の上側に形成されている配向層５１は、赤のカラー・フィルタの側から、青のカラー・フィルタの側に向かってラビングされている。このラビング方向は図１４（Ｃ）に示されている。ＬＣＤパネルＢ及びＣにおいては、カラー・フィルタ４９の上側に形成されている配向層５１は、青のカラー・フィルタの側から、赤のカラー・フィルタの側に向かってラビングされている。このラビング方向は図１４（Ｄ）に示されている。カラー・フィルタを有しない白／黒型のＬＣＤ装置の場合には、図１４（Ｃ）に示す１種類のラビング方向が、４つのＬＣＤパネルＡ，Ｂ、Ｃ及びＤの配向層５１の全てに対して要求される。このようにして、本発明は、図６を参照して説明した従来のＬＣＤ装置における問題点を解決する。
【００９０】
もしも本発明のタイリング・パネルのＬＣＤ装置が、１階の壁に掛けられ、そして２階の高さにいるユーザがＬＣＤ装置を見る場合には、良好なコントラスト比を与える広い視野角が、図５（Ａ）に示した上側の方向Ｕにおいて得られることが望ましい。この場合には、ＬＣＤパネルＡ、Ｂ、Ｃ及びＤの配向層５０及び５１のラビング方向は、次のように、図１２に示したのと反対方向となる。
【００９１】
ＬＣＤパネルＡにおいては、画素アレイ透明基板４１の配向層５０は、右下領域から左上領域に向かう方向にラビングされ、そして対向透明基板４２の配向層５１は右上領域から左下領域に向かう方向にラビングされる。
【００９２】
左下側のＬＣＤパネルＤにおいては、画素アレイ透明基板４１の配向層５０は、右上領域から左下領域に向かう方向にラビングされ、そして対向透明基板４２の配向層５１は右下領域から左上領域に向かう方向にラビングされる。
【００９３】
右上側のＬＣＤパネルＢにおいては、画素アレイ透明基板４１の配向層５０は、左上領域から右下領域に向かう方向にラビングされ、そして対向透明基板４２の配向層５１は左下領域から右上領域に向かう方向にラビングされる。
【００９４】
ＬＣＤパネルＣにおいては、画素アレイ透明基板４１の配向層５０は、左下領域から右上領域に向かう方向にラビングされ、そして対向透明基板４２の配向層５１は左上領域から右下領域に向かう方向にラビングされる。
【００９５】
本発明の第３実施例：図１５は、本発明に従うタイリング・パネル４０によって構成されるカラーＬＣＤ装置の第３実施例を示す。第３実施例のタイリング・パネル４０は、図７に示した第１実施例の左上側のＬＣＤパネルＡを左側ＬＣＤパネルとして有し、そして図７に示した第１実施例の右上側のＬＣＤパネルＢを右側ＬＣＤパネルとして有する。従って、ＬＣＤパネルＡ及びＢの画素アレイ・ガラス基板４１の配向層５０と対向ガラス基板４２の配向層５１とのラビング方向は、図７に示した第１実施例のと同じである。更に、図１５に示したタイリング・パネル４０は、図７のカラー・フィルタ及び回路モジュール４５及び４６を有する。しかしながら図を簡略化するために、回路モジュール４５及び４６は図１５に示されていない。第１実施例と同じ参照番号が第３実施例において使用されている。
【００９６】
もしも本発明のタイリング・パネルのＬＣＤ装置が、１階の壁に掛けられ、そして２階の高さにいるユーザがＬＣＤ装置を見る場合には、良好なコントラスト比を与える広い視野角が、図５（Ａ）に示した上側の方向Ｕにおいて得られることが望ましい。この場合には、ＬＣＤパネルＡ、Ｂ、Ｃ及びＤの配向層５０及び５１のラビング方向は、前述のように、図１５に示したのと反対方向となる。
【００９７】
左側のＬＣＤパネルＡにおいては、ショート・リング４３は、画素アレイが形成されている画素アレイ・ガラス基板４１の上エッジ、左エッジ及び下エッジに沿って延びる。右側のＬＣＤパネルＢにおいては、ショート・リング４３は、画素アレイが形成されている画素アレイ・ガラス基板４１の上エッジ、右エッジ及び下エッジに沿って延びる。
【００９８】
左側ＬＣＤパネルＡの基板４１とＬＣＤパネルＢの基板４２とを接着するようにそして、ＬＣＤパネルＡの基板４２とＬＣＤパネルＢの基板４１とを接着するように、ＬＣＤパネルＡの右エッジは、接着領域５２においてＬＣＤパネルＢの左エッジに接着される。
【００９９】
ＬＣＤパネルＡ及びＢで使用される液晶材料は、液晶分子を反時計方向５６に旋回させるカイラル剤を含む９０度捻れネマチック液晶材料である。
【０１００】
図１０（Ａ）に示すように、光源６１が、タイリング・パネル４０に光を当てるように装着され、そして拡散板６２が、ＬＣＤパネルＡ及びＢの上側基板上に装着される。
【０１０１】
ＬＣＤパネルＡにおいては、データ線に接続されるデータ線ドライバ（４５）は、基板４１のうち上エッジ及び下エッジの少なくとも一方に隣接する領域に装着され、そしてゲート線に接続されるゲート線ドライバ（４６）は、基板４１のうち左エッジに隣接する領域に装着される。ＬＣＤパネルＢにおいては、データ線に接続されるデータ線ドライバ（４５）は、基板４１のうち上エッジ及び下エッジの少なくとも一方に隣接する領域に装着され、そしてゲート線に接続されるゲート線ドライバ（４６）は、基板４１のうち右エッジに隣接する領域に装着される。
【０１０２】
本発明の第４実施例：図１６は、本発明に従うタイリング・パネル４０によって構成されるカラーＬＣＤ装置の第４実施例を示す。第４実施例のタイリング・パネル４０は、図７に示した第１実施例の左上側のＬＣＤパネルＡを上側ＬＣＤパネルＡとして有し、そして図７に示した第１実施例の左下側のＬＣＤパネルＤを下側ＬＣＤパネルとして有する。従って、ＬＣＤパネルＡ及びＤの画素アレイ・ガラス基板４１の配向層５０と対向ガラス基板４２の配向層５１とのラビング方向は、図７に示した第１実施例のと同じである。更に、図１６に示したタイリング・パネル４０は、図７のカラー・フィルタ及び回路モジュール４５及び４６を有する。しかしながら図を簡略化するために、回路モジュール４５及び４６は図１６に示されていない。第１実施例と同じ参照番号が第４実施例において使用されている。
【０１０３】
もしも本発明のタイリング・パネルのＬＣＤ装置が、１階の壁に掛けられ、そして２階の高さにいるユーザがＬＣＤ装置を見る場合には、良好なコントラスト比を与える広い視野角が、図５（Ａ）に示した上側の方向Ｕにおいて得られることが望ましい。この場合には、ＬＣＤパネルＡ、Ｂ、Ｃ及びＤの配向層５０及び５１のラビング方向は、前述のように、図１６に示したのと反対方向となる。
【０１０４】
上側のＬＣＤパネルＡにおいては、ショート・リング４３は、画素アレイが形成されている画素アレイ・ガラス基板４１の左エッジ、上エッジ及び右エッジに沿って延びる。下側のＬＣＤパネルＤにおいては、ショート・リング４３は、画素アレイが形成されている画素アレイ・ガラス基板４１の左エッジ、下エッジ及び右エッジに沿って延びる。
【０１０５】
上側ＬＣＤパネルＡの基板４１とＬＣＤパネルＤの基板４２とを接着するようにそして、ＬＣＤパネルＡの基板４２とＬＣＤパネルＤの基板４１とを接着するように、ＬＣＤパネルＡの下エッジは、接着領域５２においてＬＣＤパネルＤの上エッジに接着される。
【０１０６】
ＬＣＤパネルＡ及びＢで使用される液晶材料は、液晶分子を反時計方向５６に旋回させるカイラル剤を含む９０度捻れネマチック液晶材料である。
【０１０７】
ＬＣＤパネルＡにおいては、データ線に接続されるデータ線ドライバ（４５）は、基板４１のうち上エッジに隣接する領域に装着され、そしてゲート線に接続されるゲート線ドライバ（４６）は、基板４１のうち左エッジ及び右エッジの少なくとも一方に隣接する領域に装着される。ＬＣＤパネルＤにおいては、データ線に接続されるデータ線ドライバ（４５）は、基板４１のうち下エッジに隣接する領域に装着され、そしてゲート線に接続されるゲート線ドライバ（４６）は、基板４１のうち左エッジ及び右エッジの少なくとも一方に隣接する領域に装着される。
【０１０８】
本発明の第５実施例：図１７は、本発明に従うタイリング・パネル４０によって構成されるカラーＬＣＤ装置の第５実施例を示す。第５実施例のタイリング・パネル４０は、図１２に示した第２実施例の左上側のＬＣＤパネルＡを左側ＬＣＤパネルとして有し、そして図１２に示した第２実施例の右上側のＬＣＤパネルＢを右側ＬＣＤパネルとして有する。従って、ＬＣＤパネルＡ及びＢの画素アレイ・ガラス基板４１の配向層５０と対向ガラス基板４２の配向層５１とのラビング方向は、図１２に示した第２実施例のと同じである。更に、図１７に示したタイリング・パネル４０は、図１２のカラー・フィルタ及び回路モジュール４５及び４６を有する。しかしながら図を簡略化するために、回路モジュール４５及び４６は図１７に示されていない。第１実施例と同じ参照番号が第５実施例において使用されている。
【０１０９】
もしも本発明のタイリング・パネルのＬＣＤ装置が、１階の壁に掛けられ、そして２階の高さにいるユーザがＬＣＤ装置を見る場合には、良好なコントラスト比を与える広い視野角が、図５（Ａ）に示した上側の方向Ｕにおいて得られることが望ましい。この場合には、ＬＣＤパネルＡ、Ｂ、Ｃ及びＤの配向層５０及び５１のラビング方向は、前述のように、図１７に示したのと反対方向となる。
【０１１０】
左側のＬＣＤパネルＡにおいては、ショート・リング４３は、画素アレイが形成されている画素アレイ・ガラス基板４１の上エッジ、左エッジ及び下エッジに沿って延びる。右側のＬＣＤパネルＢにおいては、ショート・リング４３は、画素アレイが形成されている画素アレイ・ガラス基板４１の上エッジ、右エッジ及び下エッジに沿って延びる。
【０１１１】
左側ＬＣＤパネルＡの基板４１とＬＣＤパネルＢの基板４２とを接着するようにそして、ＬＣＤパネルＡの基板４２とＬＣＤパネルＢの基板４１とを接着するように、ＬＣＤパネルＡの右エッジは、接着領域５２においてＬＣＤパネルＢの左エッジに接着される。
【０１１２】
ＬＣＤパネルＡで使用される液晶材料は、液晶分子を反時計方向５６に旋回させるカイラル剤を含む９０度捻れネマチック液晶材料である。ＬＣＤパネルＢで使用される液晶材料は、液晶分子を時計方向６６に旋回させるカイラル剤を含む９０度捻れネマチック液晶材料である。
【０１１３】
ＬＣＤパネルＡにおいては、データ線に接続されるデータ線ドライバ（４５）は、基板４１のうち上エッジ及び下エッジの少なくとも一方に隣接する領域に装着され、そしてゲート線に接続されるゲート線ドライバ（４６）は、基板４１のうち左エッジに隣接する領域に装着される。ＬＣＤパネルＢにおいては、データ線に接続されるデータ線ドライバ（４５）は、基板４１のうち上エッジ及び下エッジの少なくとも一方に隣接する領域に装着され、そしてゲート線に接続されるゲート線ドライバ（４６）は、基板４１のうち右エッジに隣接する領域に装着される。
【符号の説明】
【０１１４】
４０・・・タイリング・パネル
４１・・・画素アレイ・ガラス基板
４２・・・対向基板
４３・・・内側ショート・リング
４４・・・封止領域
４５，４６・・・回路モジュール
４８・・・画素アレイ
４９・・・カラー・フィルタ
５０，５１・・・配向層
５２・・・接着領域
５３・・・共通電極
５５，５６・・・液晶分子
５９，６０・・・偏光板
６１・・・光源
６２・・・拡散板
【図１】
2010217925.tif 000003
【図２】
2010217925.tif 000004
【図３】
2010217925.tif 000005
【図４】
2010217925.tif 000006
【図５】
2010217925.tif 000007
【図６】
2010217925.tif 000008
【図７】
2010217925.tif 000009
【図８】
2010217925.tif 000010
【図９】
2010217925.tif 000011
【図１０】
2010217925.tif 000012
【図１１】
2010217925.tif 000013
【図１２】
2010217925.tif 000014
【図１３】
2010217925.tif 000015
【図１４】
2010217925.tif 000016
【図１５】
2010217925.tif 000017
【図１６】
2010217925.tif 000018
【図１７】
2010217925.tif 000019